(57)【要約】【課題】作業性の向上を図ることが可能な、また、ガタ付きや脱落を防止することも可能なアース端子固定構造を提供する。【解決手段】二つのアース端子１、２は、電気接触部６同士を重ね合わせつつ樹脂成型品３の所定位置に固定される。そして、この固定の後にボルト４により共締めされてアース部材に電気的に接続される。樹脂成型品３には、アース端子１、２の位置決めをする位置決め部１５と、アース端子１、２を固定する端子固定部２２とが設けられる。位置決め部１５は、アース端子１、２のボルト挿通孔９の位置と樹脂成型品３のボルト穴１６の位置とを合わせる際に、ボルト挿通孔９の移動軌跡に差し掛からない位置に配置形成される。端子固定部２２は、アース端子１、２の電気接触部６を潜らせない形状に形成される。【選択図】図１
2014116119.tif 000002
【特許請求の範囲】
【請求項１】
電気接触部同士を重ね合わせつつ樹脂成型品の所定位置に固定した後、ボルトにより共締めされてアース部材に電気的に接続される二つのアース端子の前記樹脂成型品への固定構造であって、
前記アース端子は、ボルト挿通孔を有する平板状の前記電気接触部と、導体加締め部及び被覆加締め部を含み電線端末に接続される電線接続部とを有し、
前記樹脂成型品は、ベース部と、前記ボルトに対するボルト穴と、前記アース端子の位置決めをする位置決め部と、前記アース端子を固定する端子固定部とを有する、アース端子固定構造において、
前記位置決め部は、前記ベース部から突出するとともに前記電気接触部を係止するリブ形状に形成され、且つ、前記ボルト挿通孔の位置と前記ボルト穴の位置とを合わせる際に前記ボルト挿通孔の移動軌跡に差し掛からない位置に配置形成され、
前記端子固定部は、前記電気接触部を潜らせない形状に形成されるとともに、前記導体加締め部を横切る伸びた形状に形成され、且つ、前記被覆加締め部を係止する後足係止部と、前記導体加締め部の外側に配置され該導体加締め部に対向する外側係止部とを有する形状に形成される
ことを特徴とするアース端子固定構造。
【請求項２】
請求項１に記載のアース端子固定構造において、
前記端子固定部は、該端子固定部の一端に連続するヒンジを介して開閉可能に前記ベース部に一体形成される
ことを特徴とするアース端子固定構造。
【請求項３】
請求項２に記載のアース端子固定構造において、
前記端子固定部及び前記ベース部は、引っ掛かり合ってロック状態になるロック部を有し、前記端子固定部の側となる前記ロック部は、前記外側係止部に一体形成される
ことを特徴とするアース端子固定構造。
【請求項４】
請求項１に記載のアース端子固定構造において、
前記端子固定部は、該端子固定部の中間位置を介して前記端子位置決め部に一体形成される
ことを特徴とするアース端子固定構造。
【請求項５】
請求項４に記載のアース端子固定構造において、
前記外側係止部は、前記端子固定部の一端及び他端にそれぞれ連続するように配置形成され、且つ、前記外側係止部の外側から内側へ向けて前記電線接続部を横差しする際に該電線接続部を案内するテーパ形状の端子案内部を有する
ことを特徴とするアース端子固定構造。
【請求項６】
請求項１に記載のアース端子固定構造において、
前記端子固定部は、該端子固定部の一端に連続する連結部を介して前記ベース部に一体形成され、前記連結部は、前記端子固定部の前記一端に配置形成される前記外側係止部を兼用する
ことを特徴とするアース端子固定構造。
【請求項７】
請求項６に記載のアース端子固定構造において、
前記端子固定部の他端に連続するように配置形成される前記外側係止部は、該外側係止部の外側から内側へ向けて前記電線接続部を横差しする際に該電線接続部を案内するテーパ形状の端子案内部を有する
ことを特徴とするアース端子固定構造。
【請求項８】
請求項７に記載のアース端子固定構造において、
前記端子位置決め部は、前記電線接続部を案内するテーパ形状の位置決め側端子案内部を有する
ことを特徴とするアース端子固定構造。
【請求項９】
請求項４、５、６、７又は８に記載のアース端子固定構造において、
前記ベース部は、二つの前記アース端のうち、いずれか一方の前記電線接続部を載せる凸状載置部を有し、該凸状載置部は、前記電気接触部の厚み分だけ突出形成される
ことを特徴とするアース端子固定構造。
【発明の詳細な説明】
【技術分野】
【０００１】
本発明は、アース端子固定構造に関する。
【背景技術】
【０００２】
二本一組のアース電線の端末にそれぞれ設けられる二つのアース端子を、自動車に搭載される電気接続箱の樹脂成型部分の上に重ね合わせつつ固定をした後、ボルトにて共締めをし、これにより自動車のアース部材に電気的に接続をする構造としては、例えば下記特許文献に開示される。以下、簡単に構造説明をする。
【０００３】
上記樹脂成型部分には、アース端子の両側部及び下部を位置決めする凹部と、アース端子の前部を位置決めする前凸部と、アース端子の後部を位置決めする後凸部と、アース端子の両側部を上側から押さえる上凸部とが設けられる。また、樹脂成型部分には、アース端子の電線接続部をこの上から押圧するブリッジ部も設けられる。
【０００４】
凹部における前凸部と後凸部との間には、ボルト穴が貫通形成される。このボルト穴には、アース部材に電気的に接続されるカラーが設けられる。ボルト穴の奥位置には、ナットが配設される。
【０００５】
ブリッジ部は、凹部を跨ぐようなブリッジ形状に形成される。このようなブリッジ部は、後凸部よりも後方に配設される。後凸部は、弾性変形可能な係止アーム形状に形成される。
【０００６】
アース端子は、ブリッジ部に潜らせてから位置決めに係る上記の各部にて固定される。また、アース端子は、所定距離分だけ潜らせた後にブリッジ部によっても押圧固定される。
【先行技術文献】
【特許文献】
【０００７】
【特許文献１】特開平７−２６３０４３号公報
【発明の概要】
【発明が解決しようとする課題】
【０００８】
ところで、上記従来技術にあっては、アース端子をブリッジ部に潜らせて組み付けを行うと、アース端子のボルト挿通孔が後凸部に引っ掛かってしまう虞があり、仮に引っ掛かった場合には、ボルト穴まで移動させるのに手間が掛かることから、作業性が悪くなってしまうという問題点を有する。また、後凸部への引っ掛かりに注意してアース端子をブリッジ部に潜らせるようにすれば、この場合も作業性が悪くなってしまうという問題点を有する。
【０００９】
尚、ブリッジ部の高さ寸法を大きく設定すれば、アース端子を潜らせる最中にボルト挿通孔の後凸部への引っ掛かりを起こり難くすることができると考えられる。しかしながら、高さ寸法を大きく設定する場合、アース端子の電線接続部をこの上からブリッジ部にて押圧することができなくなることから、アース端子がガタ付いたり脱落したりするという問題点につながってしまう。アース端子がガタ付いたりすると、当然にボルトの締め付けに支障を来すようになる。
【００１０】
本発明は、上記した事情に鑑みてなされたもので、作業性の向上を図ることが可能な、また、ガタ付きや脱落を防止することも可能なアース端子固定構造を提供することを課題とする。
【課題を解決するための手段】
【００１１】
上記課題を解決するためになされた請求項１に記載の本発明は、電気接触部同士を重ね合わせつつ樹脂成型品の所定位置に固定した後、ボルトにより共締めされてアース部材に電気的に接続される二つのアース端子の前記樹脂成型品への固定構造であって、前記アース端子は、ボルト挿通孔を有する平板状の前記電気接触部と、導体加締め部及び被覆加締め部を含み電線端末に接続される電線接続部とを有し、前記樹脂成型品は、ベース部と、前記ボルトに対するボルト穴と、前記アース端子の位置決めをする位置決め部と、前記アース端子を固定する端子固定部とを有する、アース端子固定構造において、前記位置決め部は、前記ベース部から突出するとともに前記電気接触部を係止するリブ形状に形成され、且つ、前記ボルト挿通孔の位置と前記ボルト穴の位置とを合わせる際に前記ボルト挿通孔の移動軌跡に差し掛からない位置に配置形成され、前記端子固定部は、前記電気接触部を潜らせない形状に形成されるとともに、前記導体加締め部を横切る伸びた形状に形成され、且つ、前記被覆加締め部を係止する後足係止部と、前記導体加締め部の外側に配置され該導体加締め部に対向する外側係止部とを有する形状に形成されることを特徴とする。
【００１２】
このような特徴を有する本発明によれば、上記構成及び構造を有することにより、アース端子を樹脂成型品の所定位置に固定するまでの間、アース端子の電気接触部が端子固定部を潜ったり、アース端子のボルト挿通孔が位置決め部等に引っ掛かったりすることはない。すなわち、作業性が低下してしまうようなことはない。また、本発明によれば、アース端子は、位置決め部と後足係止部と外側係止部とにより係止され、さらには、導体加締め部を横切る伸びた形状の端子固定部により固定されることから、ガタ付いたり脱落したりすることもない。
【００１３】
請求項２に記載の本発明は、請求項１に記載のアース端子固定構造に係り、前記端子固定部は、該端子固定部の一端に連続するヒンジを介して開閉可能に前記ベース部に一体形成されることを特徴とする。
【００１４】
このような特徴を有する本発明によれば、ヒンジを介して開閉可能な端子固定部であることから、アース端子の電気接触部が端子固定部を潜ったりすることはない。すなわち、作業性が低下してしまうようなことはない。また、本発明によれば、ベース部に対し一体になる端子固定部であることから、作業性の向上を図るにあたり部品点数が多くなるようなこともない。
【００１５】
請求項３に記載の本発明は、請求項２に記載のアース端子固定構造に係り、前記端子固定部及び前記ベース部は、引っ掛かり合ってロック状態になるロック部を有し、前記端子固定部の側となる前記ロック部は、前記外側係止部に一体形成されることを特徴とする。
【００１６】
このような特徴を有する本発明によれば、ヒンジを介して開閉可能な端子固定部はロック部によりベース部にロックされることから、アース端子が脱落するようなことはない。また、本発明によれば、ロック部が外側係止部に一体になることから、アース端子の脱落防止にあたり部品点数が多くなるようなこともない。
【００１７】
請求項４に記載の本発明は、請求項１に記載のアース端子固定構造に係り、前記端子固定部は、該端子固定部の中間位置を介して前記端子位置決め部に一体形成されることを特徴とする。
【００１８】
このような特徴を有する本発明によれば、端子位置決め部に一体化する端子固定部であることから、端子固定部によりアース端子が脱落することはなく、また、作業性の向上を図るにあたり部品点数が多くなるようなこともない。この他、本発明によれば、アース端子の電気接触部が端子固定部を潜ったりすることもない。
【００１９】
請求項５に記載の本発明は、請求項４に記載のアース端子固定構造に係り、前記外側係止部は、前記端子固定部の一端及び他端にそれぞれ連続するように配置形成され、且つ、前記外側係止部の外側から内側へ向けて前記電線接続部を横差しする際に該電線接続部を案内するテーパ形状の端子案内部を有することを特徴とする。
【００２０】
このような特徴を有する本発明によれば、導体加締め部を横切る伸びた形状の端子固定部の一端及び他端に外側係止部がそれぞれ連続することから、この外側係止部の存在及び端子固定部によりアース端子が脱落するようなことはない。また、本発明によれば、外側係止部の外側から内側へ向けて電線接続部を横差しする際に、テーパ形状の端子案内部により電気接続部がスムーズに案内されることから、作業性に支障を来すようなこともない。
【００２１】
請求項６に記載の本発明は、請求項１に記載のアース端子固定構造に係り、前記端子固定部は、該端子固定部の一端に連続する連結部を介して前記ベース部に一体形成され、前記連結部は、前記端子固定部の前記一端に配置形成される前記外側係止部を兼用することを特徴とする。
【００２２】
このような特徴を有する本発明によれば、連結部を介してベース部に一体化する端子固定部であることから、端子固定部によりアース端子が脱落するようなことはない。また、本発明によれば、連結部が端子固定部の一端に配置形成される外側係止部を兼用することから、アース端子の脱落防止にあたり部品点数が多くなるようなこともない。この他、本発明によれば、アース端子の電気接触部が端子固定部を潜ったりすることもない。
【００２３】
請求項７に記載の本発明は、請求項６に記載のアース端子固定構造に係り、前記端子固定部の他端に連続するように配置形成される前記外側係止部は、該外側係止部の外側から内側へ向けて前記電線接続部を横差しする際に該電線接続部を案内するテーパ形状の端子案内部を有することを特徴とする。
【００２４】
このような特徴を有する本発明によれば、外側係止部の外側から内側へ向けて電線接続部を横差しする際に、テーパ形状の端子案内部により電気接続部がスムーズに案内されることから、作業性に支障を来すようなこともない。
【００２５】
請求項８に記載の本発明は、請求項７に記載のアース端子固定構造に係り、前記端子位置決め部は、前記電線接続部を案内するテーパ形状の位置決め側端子案内部を有することを特徴とする。
【００２６】
このような特徴を有する本発明によれば、電線接続部を横差しする際に、端子位置決め部に形成されるテーパ形状の位置決め側端子案内部によっても電気接続部はスムーズに案内されることから、請求項７と同様に作業性に支障を来すようなことはない。
【００２７】
請求項９に記載の本発明は、請求項４、５、６、７又は８に記載のアース端子固定構造に係り、前記ベース部は、二つの前記アース端のうち、いずれか一方の前記電線接続部を載せる凸状載置部を有し、該凸状載置部は、前記電気接触部の厚み分だけ突出形成されることを特徴とする。
【００２８】
このような特徴を有する本発明によれば、二つのアース端のうち、いずれか一方の電線接続部を凸状載置部に載せることにより、電線接続部は浮き上がることがない。本発明によれば、電気接触部同士を重ね合わせた時に生じる、電気接触部の厚み分の隙間が凸状載置部により吸収される。
【発明の効果】
【００２９】
請求項１〜８に記載された本発明によれば、作業性の向上を図ることができるという効果を奏する。また、本発明によれば、ガタ付きや脱落を防止することができるという効果も奏する。この他、本発明によれば、少ない部品点数で作業性の向上を図ることができるという効果や、少ない部品点数で脱落を防止することができるという効果も奏する。
【００３０】
請求項９に記載された本発明によれば、請求項４、５、６、７又は８の効果に加え次のような効果も奏する。すなわち、更にガタ付きを防止することができるという効果を奏する。
【図面の簡単な説明】
【００３１】
【図１】本発明のアース端子固定構造を示す図であり、（ａ）はアース端子を樹脂成型品に固定した状態の斜視図、（ｂ）は樹脂成型品の斜視図である（実施例１）。
【図２】アース端子を樹脂成型品に固定した状態の図であり、（ａ）は平面図、（ｂ）は図１（ａ）のＰ視方向の図である。
【図３】樹脂成型品の図であり、（ａ）は平面図、（ｂ）は図１（ｂ）のＰ視方向の図である。
【図４】本発明のアース端子固定構造を示す図であり、（ａ）はアース端子を樹脂成型品に固定した状態の斜視図、（ｂ）は樹脂成型品の斜視図である（実施例２）。
【図５】アース端子を樹脂成型品に固定した状態の図であり、（ａ）は平面図、（ｂ）は図４（ａ）のＰ視方向の図である。
【図６】樹脂成型品の図であり、（ａ）は平面図、（ｂ）は図４（ｂ）のＰ視方向の図である。
【図７】図５のＡ−Ａ線断面図である。
【図８】本発明のアース端子固定構造を示す図であり、（ａ）はアース端子を樹脂成型品に固定した状態の斜視図、（ｂ）は樹脂成型品の斜視図である（実施例３）。
【図９】アース端子を樹脂成型品に固定した状態の図であり、（ａ）は平面図、（ｂ）は図８（ａ）のＰ視方向の図である。
【図１０】樹脂成型品の図であり、（ａ）は平面図、（ｂ）は図８（ｂ）のＰ視方向の図である。
【図１１】図９のＢ−Ｂ線断面図である。
【発明を実施するための形態】
【００３２】
二つのアース端子は、電気接触部同士を重ね合わせつつ樹脂成型品の所定位置に固定される。そして、この固定の後にボルトにより共締めされてアース部材に電気的に接続される。樹脂成型品には、アース端子の位置決めをする位置決め部と、アース端子を固定する端子固定部とが設けられる。位置決め部は、アース端子のボルト挿通孔の位置と樹脂成型品のボルト穴の位置とを合わせる際に、ボルト挿通孔の移動軌跡に差し掛からない位置に配置形成される。端子固定部は、アース端子の電気接触部を潜らせない形状に形成される。
【実施例１】
【００３３】
以下、図面を参照しながら実施例１を説明する。図１は本発明のアース端子固定構造を示す図である。また、図２はアース端子を樹脂成型品に固定した状態の図、図３は樹脂成型品の図である。
【００３４】
以下の説明において、具体的な形状、材料、数値、方向等は、本発明の理解を容易にするための例示であって、用途、目的、仕様等に合わせて適宜変更することができるものとする。
【００３５】
図１及び図２において、引用符号１、２はアース端子を示す。これら二つのアース端子１、２は、樹脂成型品３の所定位置に固定されるとともに、この固定の後に、ボルト４により共締めされて図示しないアース部材に電気的に接続される。尚、樹脂成型品３は、本実施例において、例えば自動車等の移動体に搭載される電気接続箱の一部分（樹脂成型部分）であるものとする。また、樹脂成型品３は、導電性を有するパネル部材や車体等の上記アース部材への固定が可能な略ブラケット形状に形成されるものとする。
【００３６】
先ず、上記の各構成について説明をする。
【００３７】
アース端子１、２は、二本のアース電線５の端末に設けられる。アース端子１、２は、後述する電気接触部６の向きが左右逆であるものの、基本的に同じ部分を有する。本実施例においては、重ね合わせた時に電気接触部６が上側となるアース端子１を説明し、これによりアース端子２の説明を省略するものとする。
【００３８】
アース端子１は、導電性を有する金属薄板をプレス加工することにより図示の形状（ＬＡ端子形状）に形成される。アース端子１は、電気接触部６と、この電気接触部６に連成される電線接続部７とを有する。
【００３９】
電気接触部６は、平板状に形成される。また、平面視矩形状に形成される。電気接触部６は、四つの隅部のうち、三つの隅部がＲ形状に加工される。残りの隅部には、電線接続部７が連成される。電線接続部７が連成される辺８は、後述する位置決め部１５により係止される部分として形成される。このような電気接触部６の中央位置には、ボルト挿通孔９が貫通形成される。ボルト挿通孔９は、ボルト４の軸部の径に合わせて円形状に貫通形成される。
【００４０】
電線接続部７は、アース電線５の端末に対する接続部分であって、アース電線５の導体１０を加締めて電気的に接続する導体加締め部１１と、アース電線５の被覆１２を加締めて固定する被覆加締め部１３とを有する。尚、被覆加締め部１３は、一般的に後ろ足と呼ばれる部分である。
【００４１】
図１ないし図３において、樹脂成型品３は、電気接続箱における例えば箱本体の樹脂ハウジングに連成される部分であって、上記形状に形成される。また、比較的厚肉な部分にも形成される（樹脂成型品３は、上記のような一部分の他に、例えば端子台のような単独のものに形成されてもよいものとする）。樹脂成型品３は、この本体となるベース部１４を有する。
【００４２】
ベース部１４は、特に限定するものでないが、平面視台形形状に形成される。このようなベース部１４の略中央位置には、位置決め部１５が形成される。また、位置決め部１５の前方には、ボルト穴１６が形成され、位置決め部１５の左右には、ロック部１７がそれぞれ形成される。
【００４３】
ベース部１４の後側の辺１８は、右上がり（左下がり）の斜め形状に形成される。ベース部１４の右側の辺１９には、凸部２０が突出形成される。この凸部２０には、薄肉のヒンジ２１を介して端子固定部２２が連成される。
【００４４】
位置決め部１５は、ベース部１４の上面から突出してアース端子１、２の位置決めをすることができる形状に形成される。また、位置決め部１５は、アース端子１、２における電気接触部６の辺８を係止して後方への移動を規制することができる形状にも形成される。さらに、位置決め部１５は、アース端子１、２における各電線接続部７の間に差し込まれて電線接続部７の左右方向への移動を規制することができる形状にも形成される。
【００４５】
位置決め部１５は、前後方向に伸びるリブ形状に形成される。位置決め部１５は、本実施例において、アース端子１、２の被覆加締め部１３の位置まで伸びる長さに形成される（これに限らず後述する実施例２、３の長さであってもよいものとする）。
【００４６】
位置決め部１５は、アース端子１、２のボルト挿通孔９の位置と、ボルト穴１６の位置とを合わせる際に、ボルト挿通孔９の移動軌跡に差し掛からない位置に配置形成される。
【００４７】
ボルト穴１６は、円形の貫通孔として形成される。また、ボルト穴１６は、この開口縁が段付きとなる形状にも形成される。このようなボルト穴１６には、図示しないカラーとボルト４の軸部とが挿通される。上記カラーは、導電性を有する金属部材であって、ボルト４と上記アース部材とに接触してこれらを電気的に接続することができる形状に形成される。カラーは、ボルト穴１６の段付き部分に取り付けられる。尚、ボルト穴１６の奥位置には、図示しないナットが配設される。
【００４８】
ロック部１７は、端子固定部２２を引っ掛けてロック状態にする部分として形成される。本実施例のロック部１７は、矩形の貫通孔に係止突起が突出する形状に形成される（一例であるものとする）。ロック部１７は、位置決め部１５を中心に左右均等な位置に配置形成される。
【００４９】
端子固定部２２は、アース端子１、２を固定する部分であって、従来例とは異なり電気接触部６を潜らせない形状に形成される。また、端子固定部２２は、導体加締め部１１を横切るような伸びた形状にも形成される。このような端子固定部２２には、後足係止部２３と、一対の外側係止部２４とが形成される。端子固定部２２は、この一端にヒンジ２１が連成される。端子固定部２２は、ヒンジ２１を介してベース部１４に一体形成される。
【００５０】
後足係止部２３は、被覆加締め部１３を係止する部分として形成される。すなわち、後足係止部２３は、アース端子１、２の前方への移動を規制する部分として形成される。
【００５１】
一対の外側係止部２４は、導体加締め部１１の外側に配置形成される。また、一対の外側係止部２４は、導体加締め部１１に対向して左右方向の位置ズレを防止する部分として形成される。一対の外側係止部２４は、端子固定部２２から脚状に突出する形状に形成される。このような一対の外側係止部２４の先端位置には、ロック部２５が形成される。
【００５２】
ロック部２５は、外側へ突出する係止突起形状に形成される。ロック部２５は、ベース部１４のロック部１７に引っ掛かり係止される部分として形成される。ロック部１７、２５が係止されてロック状態が形成されると、端子固定部２２によるアース端子１、２の固定が維持される。
【００５３】
ボルト４は、頭部と軸部とを有する公知のものが用いられる。引用符号２６はワッシャを示す。尚、ワッシャ２６は、ボルト４に一体化してもよいものとする。
【００５４】
次に、上記構成及び構造に基づきながら、アース端子１、２の樹脂成型品３への固定について説明をする。尚、以下説明での手順は一例であるものとする。
【００５５】
＜手順１＞
下側となるアース端子２をベース部１４の上方から下方へ向けて移動させる。そして、電気接触部６のボルト挿通孔９の位置をボルト穴１６の位置に合わせる。この時、アース端子２は、位置決め部１５により電気接触部６の辺８の部分と、導体加締め部１１の右側部分とが位置決めされ、且つ移動が規制される。アース端子２は、ベース部１４に載せられた状態になる。
【００５６】
＜手順２＞
上側となるアース端子１をアース端子２に重ね合わせるため、アース端子１をアース端子２の上方から下方へ向けて移動させる。そして、アース端子２の電気接触部６にアース端子１の電気接触部６を重ね合わせ、ボルト挿通孔９同士の位置を合わせる。この時、アース端子１は、位置決め部１５により電気接触部６の辺８の部分と、導体加締め部１１の左側部分とが位置決めされ、且つ移動が規制される。アース端子１は、アース端子２に載せられた状態になる。
【００５７】
尚、予めアース端子２の上にアース端子１を重ね合わせ、この重ね合わせの状態からベース部１４に載せる手順を採用してもよいものとする。
【００５８】
＜手順３＞
開いた状態にある端子固定部２２をヒンジ２１の部分で曲げて閉じ、導体加締め部１１を端子固定部２２にて押さえつけるとともに、この端子固定部２２をベース部１４に係止させてロック状態にする。ロック状態は、端子固定部２２における一対の外側係止部２４のロック部２５がベース部１４の一対のロック部１７に引っ掛かることにより形成される。
【００５９】
ロック状態が形成され、端子固定部２２が完全に閉じた状態になると、アース端子１、２は端子固定部２２自体の押さえつけにより固定される。また、アース端子１、２は、端子固定部２２の後足係止部２３により被覆加締め部１３の部分が位置決めされ、且つ移動が規制される。さらに、アース端子１、２は、端子固定部２２の一対の外側係止部２４により導体加締め部１１の外側部分が位置決めされ、且つ移動が規制される。
【００６０】
以上により、アース端子１、２の樹脂成型品３への固定が完了する。アース端子１、２は、上記手順の説明から分かるように、ガタ付いたり脱落したりすることはない。従って、この後のボルト４の締め付け作業は良好になる。
【００６１】
この他、アース端子１、２は、樹脂成型品３への固定までの間、電気接触部６が端子固定部２２を潜ったり、ボルト挿通孔９が位置決め部１５に引っ掛かったりすることはない。従って、樹脂成型品３への固定までの間、作業性は良好になる。
【実施例２】
【００６２】
以下、図面を参照しながら実施例２を説明する。図４は本発明のアース端子固定構造を示す図である。また、図５はアース端子を樹脂成型品に固定した状態の図、図６は樹脂成型品の図、図７は図５のＡ−Ａ線断面図である。尚、上記実施例１と基本的に同じ構成部材には同一の符号を付して詳細な説明を省略する。
【００６３】
図４及び図５において、二つのアース端子１、２は、樹脂成型品３１の所定位置に固定されるとともに、この固定の後に、ボルト４により共締めされて図示しないアース部材に電気的に接続される。先ず、樹脂成型品３１について説明をする。
【００６４】
図４ないし図７において、樹脂成型品３１は、実施例１と同様、樹脂ハウジングに連成される部分であって、略ブラケット形状に形成される。また、比較的厚肉な部分にも形成される。樹脂成型品３１は、この本体となるベース部３２を有する。
【００６５】
ベース部３２は、特に限定するものでないが、平面視台形形状に形成される。ベース部３２の略中央位置には、位置決め部３３が突出形成される。この位置決め部３３の前方には、ボルト穴１６が形成される。位置決め部３３には、端子固定部３４が一体に形成される。また、位置決め部３３の右側には、凸状載置部３５が形成される。尚、ベース部３２における引用符号３６は、端子固定部３４を形成するための型抜き孔を示す。
【００６６】
位置決め部３３は、ベース部３２の上面から突出してアース端子１、２の位置決めをすることができる形状に形成される。また、位置決め部３３は、アース端子１、２における各電線接続部７の間に差し込まれて電線接続部７の左右方向への移動を規制することができる形状にも形成される。
【００６７】
位置決め部３３は、前後方向に伸びるリブ形状に形成される。位置決め部３３は、本実施例において、アース端子１、２の被覆加締め部１３を越える長さに形成される（一例であるものとする）。また、位置決め部３３は、型抜き孔３６を跨ぐような状態にも形成される。
【００６８】
位置決め部３３は、アース端子１、２のボルト挿通孔９の位置と、ボルト穴１６の位置とを合わせる際に、ボルト挿通孔９の移動軌跡に差し掛からない位置に配置形成される。
【００６９】
端子固定部３４は、アース端子１、２を固定する部分であって、従来例のような電気接触部６を潜らせない形状に形成される。また、端子固定部３４は、導体加締め部１１を横切るような伸びた形状にも形成される。このような端子固定部３４には、後足係止部２３と、一対の外側係止部３７とが形成される。端子固定部３４は、この中央位置が位置決め部３３の突出先端に一体形成される。端子固定部３４は、可撓性を有する。
【００７０】
一対の外側係止部３７は、導体加締め部１１の外側に配置形成される。また、一対の外側係止部３７は、導体加締め部１１に対向して左右方向の位置ズレを防止する部分として形成される。一対の外側係止部３７は、端子固定部３４の端末から突出する突起形状に形成される。一対の外側係止部３７の外面には、テーパ形状の端子案内部３８が形成される。
【００７１】
端子案内部３８は、後の説明で分かるようになるが、一対の外側係止部３７の外側から内側へ向けて電線接続部７を横差しする際に、この電気接続部７をスムーズに案内する部分として形成される。
【００７２】
凸状載置部３５は、上側となるアース端子１の電線接続部７を載せる部分として形成される。このような凸状載置部３５は、電気接触部６の厚み分だけ突出する形状に形成される。凸状載置部３５を形成することにより、アース端子１の電線接続部７は浮き上がることがなく、電気接触部６同士を重ね合わせた時に生じる、電気接触部６の厚み分の隙間が吸収される。すなわち、ガタ付きが起こり難くなる。
【００７３】
次に、上記構成及び構造に基づきながら、アース端子１、２の樹脂成型品３１への固定について説明をする。
【００７４】
＜手順１＞
下側となるアース端子２をベース部３２の左方から右方へ向けて移動させる。そして、端子固定部３４の左端部位置において端子案内部３８に案内させつつ電線接続部７を横差しすると、アース端子２は、位置決め部３３により導体加締め部１１の右側部分が位置決めされ、且つ移動が規制される。また、アース端子２は、外側係止部３７により導体加締め部１１の外側部分（左側部分）が位置決めされ、且つ移動が規制される。アース端子２は、ベース部３２に載せられた状態になる。アース端子２は、電気接触部６のボルト挿通孔９の位置がボルト穴１６の位置に略一致する。
【００７５】
＜手順２＞
上側となるアース端子１をアース端子２に重ね合わせるため、アース端子１をアース端子２の右方から左方へ向けて移動させる。そして、端子固定部３４の右端部位置において端子案内部３８に案内させつつ電線接続部７を横差しすると、アース端子１は、位置決め部３３により導体加締め部１１の左側部分が位置決めされ、且つ移動が規制される。また、アース端子１は、外側係止部３７により導体加締め部１１の外側部分（右側部分）が位置決めされ、且つ移動が規制される。アース端子１は、アース端子２に載せられた状態になる。アース端子１の電気接触部６は、アース端子２の電気接触部６に重ね合わせられ、この時、ボルト挿通孔９同士の位置が略一致する。
【００７６】
アース端子１、２は、端子固定部３４の後足係止部２３により被覆加締め部１３の部分が位置決めされ、且つ移動が規制される。
【００７７】
以上により、アース端子１、２の樹脂成型品３１への固定が完了する。アース端子１、２は、上記手順の説明から分かるように、ガタ付いたり脱落したりすることはない。従って、この後のボルト４の締め付け作業は良好になる。
【００７８】
この他、アース端子１、２は、樹脂成型品３１への固定までの間、電気接触部６が端子固定部３４を潜ったり、ボルト挿通孔９が位置決め部３３に引っ掛かったりすることはない。従って、樹脂成型品３１への固定までの間、作業性は良好になる。
【実施例３】
【００７９】
以下、図面を参照しながら実施例３を説明する。図８は本発明のアース端子固定構造を示す図である。また、図９はアース端子を樹脂成型品に固定した状態の図、図１０は樹脂成型品の図、図１１は図９のＢ−Ｂ線断面図である。尚、上記実施例１、２と基本的に同じ構成部材には同一の符号を付して詳細な説明を省略する。
【００８０】
図８及び図９において、二つのアース端子１、２は、樹脂成型品４１の所定位置に固定されるとともに、この固定の後に、ボルト４により共締めされて図示しないアース部材に電気的に接続される。先ず、樹脂成型品４１について説明をする。
【００８１】
図４ないし図７において、樹脂成型品４１は、実施例１、２と同様、樹脂ハウジングに連成される部分であって、略ブラケット形状に形成される。また、比較的厚肉な部分にも形成される。樹脂成型品４１は、この本体となるベース部４２を有する。
【００８２】
ベース部４２は、特に限定するものでないが、平面視台形形状に形成される。ベース部４２の略中央位置には、位置決め部４３が突出形成される。この位置決め部４３の前方には、ボルト穴１６が形成される。位置決め部４３の後端（又は後方）には、端子固定部４４が形成される。端子固定部４４は、後述する連結部４６を介してベース部４２に一体形成される。位置決め部４３の右側には、凸状載置部３５が形成される。尚、ベース部４２における引用符号４５は、端子固定部４４を形成するための型抜き孔を示す。
【００８３】
位置決め部４３は、ベース部４２の上面から突出してアース端子１、２の位置決めをすることができる形状に形成される。また、位置決め部４３は、アース端子１、２における各電線接続部７の間に差し込まれて電線接続部７の左右方向への移動を規制することができる形状にも形成される。位置決め部４３は、本実施例において実施例２よりも短いリブ形状に形成される。
【００８４】
位置決め部４３は、アース端子１、２のボルト挿通孔９の位置と、ボルト穴１６の位置とを合わせる際に、ボルト挿通孔９の移動軌跡に差し掛からない位置に配置形成される。
【００８５】
端子固定部４４は、アース端子１、２を固定する部分であって、従来例のような電気接触部６を潜らせない形状に形成される。また、端子固定部４４は、導体加締め部１１を横切るような伸びた形状にも形成される。
【００８６】
端子固定部４４は、本実施例において、この一端（左端）に連続する連結部４６を介してベース部４２に一体形成される。端子固定部４４は、連結部４６により片持ち形状に形成される。連結部４６は、導体加締め部１１の外側に配置される部分として形成される。端子固定部４４の他端には、外側係止部３７が形成される。また、このような端子固定部４４には、後足係止部２３も形成される。端子固定部４４は、上記の如く片持ち形状であることから、可撓性を有する。
【００８７】
連結部４６は、導体加締め部１１の外側に配置されて実施例１、２の外側係止部２４、３７と同様に機能する。端子固定部４４は、この一端に外側係止部を兼用する連結部４６を有するとともに、他端（右端）に外側係止部３７を有する。外側係止部３７の外面には、端子案内部３８が形成される。尚、本実施例においては、端子案内部３８と同じ機能部分が位置決め部４３にも形成される。引用符号４７は位置決め側端子案内部を示す。
【００８８】
次に、上記構成及び構造に基づきながら、アース端子１、２の樹脂成型品４１への固定について説明をする。
【００８９】
＜手順１＞
下側となるアース端子２をベース部４２の右方から左方へ向けて移動させる。そして、端子固定部４４の右端部位置において端子案内部３８に案内させつつ電線接続部７を横差しすると、アース端子２は、位置決め部４３を乗り越えた後、位置決め部４３により導体加締め部１１の右側部分が位置決めされ、且つ移動が規制される。また、アース端子２は、外側係止部として機能する連結部４６により導体加締め部１１の外側部分（左側部分）が位置決めされ、且つ移動が規制される。アース端子２は、ベース部４２に載せられた状態になる。アース端子２は、電気接触部６のボルト挿通孔９の位置がボルト穴１６の位置に略一致する。
【００９０】
＜手順２＞
上側となるアース端子１をアース端子２に重ね合わせるため、アース端子１をアース端子２の右方から左方へ向けて移動させる。そして、端子固定部４４の右端部位置において端子案内部３８に案内させつつ電線接続部７を横差しすると、アース端子１は、位置決め部４３により導体加締め部１１の左側部分が位置決めされる。また、アース端子１は、外側係止部３７により導体加締め部１１の外側部分（右側部分）が位置決めされ、且つ移動が規制される。アース端子１は、アース端子２に載せられた状態になる。アース端子１の電気接触部６は、アース端子２の電気接触部６に重ね合わせられ、この時、ボルト挿通孔９同士の位置が略一致する。
【００９１】
アース端子１、２は、端子固定部４４の後足係止部２３により被覆加締め部１３の部分が位置決めされ、且つ移動が規制される。
【００９２】
以上により、アース端子１、２の樹脂成型品４１への固定が完了する。アース端子１、２は、上記手順の説明から分かるように、ガタ付いたり脱落したりすることはない。従って、この後のボルト４の締め付け作業は良好になる。
【００９３】
この他、アース端子１、２は、樹脂成型品４１への固定までの間、電気接触部６が端子固定部３４を潜ったり、ボルト挿通孔９が位置決め部４３に引っ掛かったりすることはない。従って、樹脂成型品４１への固定までの間、作業性は良好になる。
【００９４】
この他、本発明は本発明の主旨を変えない範囲で種々変更実施可能なことは勿論である。
【符号の説明】
【００９５】
１、２…アース端子、  ３…樹脂成型品、  ４…ボルト、  ５…アース電線、  ６…電気接触部、  ７…電線接続部、  ８…辺、  ９…ボルト挿通孔、  １０…導体、  １１…導体加締め部、  １２…被覆、  １３…被覆加締め部、  １４…ベース部、  １５…位置決め部、  １６…ボルト穴、  １７…ロック部、  １８、１９…辺、  ２０…凸部、  ２１…ヒンジ、  ２２…端子固定部、  ２３…後足係止部、  ２４…外側係止部、  ２５…ロック部、  ２６…ワッシャ、  ３１…樹脂成型品、  ３２…ベース部、  ３３…位置決め部、  ３４…端子固定部、  ３５…凸状載置部、  ３６…型抜き孔、  ３７…外側係止部、  ３８…端子案内部、  ４１…樹脂成型品、  ４２…ベース部、  ４３…位置決め部、  ４４…端子固定部、  ４５…型抜き孔、  ４６…連結部、  ４７…位置決め側端子案内部
【図１】
2014116119.tif 000003
【図２】
2014116119.tif 000004
【図３】
2014116119.tif 000005
【図４】
2014116119.tif 000006
【図５】
2014116119.tif 000007
【図６】
2014116119.tif 000008
【図７】
2014116119.tif 000009
【図８】
2014116119.tif 000010
【図９】
2014116119.tif 000011
【図１０】
2014116119.tif 000012
【図１１】
2014116119.tif 000013